(57)【特許請求の範囲】
【請求項１】
吸収体を含む吸収性本体と、腹側部、背側部及びそれらの間に位置する股下部を備え、前記吸収性体本体を前記股下部に接着固定する外装体と、を備えたパンツ型の吸収性物品において、
前記外装体は、前記腹側部の下部において、幅方向に沿った切り込み部を有し、当該切り込み部の上下を互いに離間する方向に引っ張ることで開口する開口部を備え、
前記吸収性本体は、前記開口部を跨いで前記外装体の前記股下部から前記腹側部にかけて長手方向に沿って配置され、
前記開口部より下側部分は、前記吸収性本体と前記外装体とが接着された接着部を構成し、前記開口部より上側部分は、前記吸収性本体と前記外装体とが接着されない非接着部を構成し、
前記非接着部における前記吸収性本体と前記外装体とを着脱自在に止着する止着手段を備えることを特徴とする吸収性物品。
【請求項２】
前記切り込み部は、上方に凸となる湾曲形状であることを特徴とする請求項１に記載の吸収性物品。
【請求項３】
前記開口部は、前記切り込み部の両端に連続して設けられた孔部を備えていることを特徴とする請求項１又は２に記載の吸収性物品。
【請求項４】
前記開口部は、前記切り込み部の中心位置から下方に向かい、前記切り込み部と垂直になるように形成された第２の切り込み部を備えることを特徴とする請求項１から３のいずれか一項に記載の吸収性物品。
【請求項５】
前記吸収性本体の前記非接着部の幅は、前記開口部の幅よりも狭いことを特徴とする請求項１から４のいずれか一項に記載の吸収性物品。
【請求項６】
前記吸収性本体の前記非接着部の端部形状は円弧形状であることを特徴とする請求項１から５のいずれか一項に記載の吸収性物品。
【請求項７】
前記吸収性本体の前記接着部と前記非接着部との境界部には、幅方向に沿って連続するエンボス加工が施されていることを特徴とする請求項１から６のいずれか一項に記載の吸収性物品。
【請求項８】
前記吸収性本体の前記接着部と前記非接着部との境界部には、幅方向に沿ったスリットが形成されていることを特徴とする請求項１から６のいずれか一項に記載の吸収性物品。
【請求項９】
前記開口部の近傍に、前記開口部を閉じる方向に付勢力が付与された弾性体を備えたことを特徴とする請求項１から８のいずれか一項に記載の吸収性物品。
【請求項１０】
吸収体を含む吸収性本体と、腹側部、背側部及びそれらの間に位置する股下部を備え、前記吸収性体本体を前記股下部に接着固定する外装体と、を備えたパンツ型の吸収性物品において、
前記外装体は、前記腹側部を形成する上シートと、前記背側部及び前記股下部を形成する下シートと、により構成され、
前記上シートの下端部と前記下シートの上端部とが前記上シートが外側となるよう重ねあわされてなり、当該重ね合わせた部分は、前記上シートの下端部と前記下シートの上端部とを互いに離間する方向に引っ張ることで開口する開口部を形成し、
前記吸収性本体は、前記開口部を跨いで前記外装体の前記股下部から前記腹側部にかけて長手方向に沿って配置され、
前記開口部より下側部分は、前記吸収性本体と前記外装体とが接着された接着部を構成し、前記開口部より上側部分は、前記吸収性本体と前記外装体とが接着されない非接着部を構成し、
前記非接着部における前記吸収性本体と前記外装体とを着脱自在に止着する止着手段を備えることを特徴とする吸収性物品。
【発明の詳細な説明】
【技術分野】
【０００１】
本発明は、吸収性物品に関する。
【背景技術】
【０００２】
従来より、使い捨ての紙おむつに代表される吸収性物品が知られている。使い捨ての紙おむつとしては、一般的に、パンツ型及びテープ式紙おむつが知られている。
このうちパンツ型紙おむつ（以下、紙おむつという。）は、吸収体が内包された吸収性本体と、吸収性本体が固定された外装体とを備えている。かかる外装体は漏れ防止の観点より着用者の身体に対して密着する構成となっており、特に男性用の紙おむつにおいては、外装体は一般的な男性用下着に備えられているような男性器を取り出すための排尿用取り出し口等を有していないために、自力での排尿が困難である。
このため、紙おむつの腹側に男性器を取り出すための開口部を設けた紙おむつが提案されている（例えば、特許文献１参照。）。
【特許文献１】特開２００７−３３０５４３号公報
【発明の開示】
【発明が解決しようとする課題】
【０００３】
しかしながら、特許文献１に記載された紙おむつは、開口部が幅方向に沿った切り込みであるため、紙おむつに排尿を行うと尿の重みで紙おむつが下がり、開口部が開いてしまうという問題を有していた。
【０００４】
本発明の課題は、開口部の閉口状態を維持することのできる吸収性物品を提供することである。
【課題を解決するための手段】
【０００５】
前記課題を解決するために、請求項１に記載の発明は、
吸収体を含む吸収性本体と、腹側部、背側部及びそれらの間に位置する股下部を備え、前記吸収性体本体を前記股下部に接着固定する外装体と、を備えたパンツ型の吸収性物品において、
前記外装体は、前記腹側部の下部において、幅方向に沿った切り込み部を有し、当該切り込み部の上下を互いに離間する方向に引っ張ることで開口する開口部を備え、
前記吸収性本体は、前記開口部を跨いで前記外装体の前記股下部から前記腹側部にかけて長手方向に沿って配置され、
前記開口部より下側部分は、前記吸収性本体と前記外装体とが接着された接着部を構成し、前記開口部より上側部分は、前記吸収性本体と前記外装体とが接着されない非接着部を構成し、
前記非接着部における前記吸収性本体と前記外装体とを着脱自在に止着する止着手段を備えることを特徴とする。
【０００６】
請求項２に記載の発明は、請求項１に記載の吸収性物品において、
前記切り込み部は、上方に凸となる湾曲形状であることを特徴とする。
【０００７】
請求項３に記載の発明は、請求項１又は２に記載の吸収性物品において、
前記開口部は、前記切り込み部の両端に連続して設けられた孔部を備えていることを特徴とする。
【０００８】
請求項４に記載の発明は、請求項１から３のいずれか一項に記載の吸収性物品において、 
前記開口部は、前記切り込み部の中心位置から下方に向かい、前記切り込み部と垂直になるように形成された第２の切り込み部を備えることを特徴とする。
【０００９】
請求項５に記載の発明は、請求項１から４のいずれか一項に記載の吸収性物品において、
前記吸収性本体の前記非接着部の幅は、前記開口部の幅よりも狭いことを特徴とする。
【００１０】
請求項６に記載の発明は、請求項１から５のいずれか一項に記載の吸収性物品において、
前記吸収性本体の前記非接着部の端部形状は円弧形状であることを特徴とする。
【００１１】
請求項７に記載の発明は、請求項１から６のいずれか一項に記載の吸収性物品において、
前記吸収性本体の前記接着部と前記非接着部との境界部には、幅方向に沿って連続するエンボス加工が施されていることを特徴とする。
【００１２】
請求項８に記載の発明は、請求項１から６のいずれか一項に記載の吸収性物品において、
前記吸収性本体の前記接着部と前記非接着部との境界部には、幅方向に沿ったスリットが形成されていることを特徴とする。
【００１３】
請求項９に記載の発明は、請求項１から８のいずれか一項に記載の吸収性物品において、
前記開口部の近傍に、前記開口部を閉じる方向に付勢力が付与された弾性体を備えたことを特徴とする。
【００１４】
請求項１０に記載の発明は、
吸収体を含む吸収性本体と、腹側部、背側部及びそれらの間に位置する股下部を備え、前記吸収性体本体を前記股下部に接着固定する外装体と、を備えたパンツ型の吸収性物品において、
前記外装体は、前記腹側部を形成する上シートと、前記背側部及び前記股下部を形成する下シートと、により構成され、
前記上シートの下端部と前記下シートの上端部とが前記上シートが外側となるよう重ねあわされてなり、当該重ね合わせた部分は、前記上シートの下端部と前記下シートの上端部とを互いに離間する方向に引っ張ることで開口する開口部を形成し、
前記吸収性本体は、前記開口部を跨いで前記外装体の前記股下部から前記腹側部にかけて長手方向に沿って配置され、
前記開口部より下側部分は、前記吸収性本体と前記外装体とが接着された接着部を構成し、前記開口部より上側部分は、前記吸収性本体と前記外装体とが接着されない非接着部を構成し、
前記非接着部における前記吸収性本体と前記外装体とを着脱自在に止着する止着手段を備えることを特徴とする。
【発明の効果】
【００１５】
本発明によれば、吸収性本体は開口部を跨いで長手方向に沿って配置され、開口部より上側に位置する吸収性本体は外装体と接着されない非接着部であって、この非接着部には外装体と非接着部とを着脱自在に止着する止着手段が備えられた構成となっている。
このため、吸収性本体に排尿した際に尿の重みで吸収性物品全体が下がった場合であっても、開口部の上部を止着手段により止着することができ、開口部が開口するのを防止することができる。
【発明を実施するための最良の形態】
【００１６】
[実施形態１]
以下、本発明の実施形態１について図面を参照して説明する。ただし、発明の範囲は、図示例に限定されない。
本実施形態においては、吸収性物品としてのパンツ型の使い捨て紙おむつ（以下、「紙おむつ」という。）を一例として説明する。
ここで、図１は、本発明を適用した吸収性物品の好適な一例として例示する紙おむつの展開図であり、図２は、図１のII−II線における紙おむつの要部断面図であり、図３は、紙おむつを組み立てた斜視図であり、図４は、図３のIV−IV線における紙おむつの要部断面図である。
【００１７】
図１、２に示すように、紙おむつ１０には、人体と接する接触面に配される透液性のトップシート１と、使用装着時に外部側に設けられる外装体２と、トップシート１と外装体２との間に介装される吸収性本体３と、が備えられている。
【００１８】
トップシート１は、例えば、透液性を有する不織布で、吸収体の表面側（人体側）を覆う形状に形成されている。
外装体２は、不織布からなる外面シート２Ａと、この外面シート２Ａに貼設される内面シート２Ｂとにより構成され、吸収性本体３の裏面側（装着時における外部側）を覆う形状に形成されている。
【００１９】
トップシート１や外面シート２Ａ、後述するギャザーシート７等を形成する不織布の素材としてとしては、天然繊維、合成繊維のいずれを用いても良い。天然繊維の例としては、綿、セルロース（木材パルプ）、羊毛、絹等が挙げられる。また合成繊維としては、ポリプロピレン（PP）、ポリエチレン（PE）、ナイロン、ポリエステル（PET）、アクリル等が挙げられ、またPE/PP混合不織布、PE/PET混合不織布、また、上記素材を適宜組み合わせたバイコンポーネント繊維（混合繊維）も用いることができる。
【００２０】
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
【００２１】
外装体２の一方の端部には、当該紙おむつ１０の着用者の腹周りを被覆する腹側部２ａが形成され、他方の端部には、着用者の背周りを被覆する背側部２ｂが形成されているとともに、腹側部２ａと背側部２ｂとの間に、着用者の股間部を被覆する股下部２ｃが形成されている。腹側部２ａ及び背側部２ｂは、略等しい幅を有する略矩形状に形成されている。
そして、図３に示すように、腹側部２ａの幅方向側の各端部２１ａ、２１ａと背側部２ｂの幅方向側の各端部２１ｂ、２１ｂがそれぞれ固着されて脇部を形成することで、紙おむつ１０がパンツ型の形状に成形されるようになっている。
【００２２】
また、腹側部２ａ及び背側部２ｂにおける外面シート２Ａと内面シート２Ｂとの間には、端部２１ａ、２１ａ間及び端部２１ｂ、２１ｂ間に亘って夫々幅方向に略平行な弾性部材としての複数本の糸ゴム４ａ・・・が、長手方向に沿って所定の間隔で複数挟み込まれて固着されて備えられている。この糸ゴム４ａによって、紙おむつ１０使用時に、着用者の胴周りおよび腰周りで、紙おむつ１０が伸縮自在となるように構成されている。
【００２３】
また、外面シート２Ａと内面シート２Ｂの股下部２ｃには、腹側部２ａの一方の側端部２１ａから股下部２ｃの一方の端部２１ｃの形状に沿うように曲線的に配置され、幅方向の略中央を経て、さらに、股下部２ｃの他方の端部２１ｃの形状に沿うように曲線的に配置され、腹側部２ａの他方の側端部２１ａへ至る複数本の糸ゴム４ｂが固着されて備えられている。また、背側部２ｂの一方の側端部２１ｂから股下部２ｃの一方の端部２１ｃの形状に沿うように曲線的に配置され、幅方向の略中央を経て、さらに、股下部２ｃの他方の端部２１ｃの形状に沿うように曲線的に配置され、略中央を経て背側部２ｂの他方の側端部２１ｂへ至る複数本の糸ゴム４ｃが固着されて備えられている。これら糸ゴム４ｂ、４ｃは、紙おむつ１０使用時に着用者の股下やそけい部に外装体２をフィットさせることができるように構成されている。
【００２４】
腹側部２ａの下部には、外装体２の幅方向に沿った切り込み部５０を有し、当該切り込み部５０の上下を互いに離間する方向に引っ張ることで開口する開口部５が設けられている。かかる切り込み部５０は、例えば、切り込み部５０の中心位置を頂点として上方に凸となる湾曲形状である。
また、開口部５は、切り込み部５０の両端に連続して設けられた孔部５１、５１を有している。
なお、外装体２の開口部５を形成する箇所には、強度補強用の保護シートを貼着させて厚みを持たせるようにしても良い。開口部５を開口した際にかかる応力により孔部５１、５１が破れるのを防止するためである。
【００２５】
吸収性本体３は、例えば、紙おむつ１０の使用時に体液としての尿等の水様成分を吸収するものであり、綿やパルプ等の吸収性素材や、繊維或いはフィルム等のシート状基材と高吸水性樹脂とが組み合わされて形成された吸収体３０と、この吸収体３０を覆う透液性のクレープ紙３１及び防水フィルム３２により構成されている。
【００２６】
吸収性本体３は、例えば、人体の前胴周りから両脚の間を通り後胴周りに亘る位置に装着されるように、股下部２ｃにおける股下両端部間の幅を短尺、前胴周りにあたる腹側端部３ａから後胴周りあたる背側端部３ｂにかけて長尺とする、砂時計形状に形成されている。
【００２７】
クレープ紙３１は透液性のシートであって、吸収体３０を全体的に包装しており、体液を吸収する働きをなす。
防水フィルム３２は、遮水性を有し、クレープ紙３１を通過した水様分が外装体２側に漏れることを防止する働きをなす。
【００２８】
吸収性本体３は、外装体２の背側部２ｂから股下部２ｃを通り、開口部５を跨いで腹側部２ａにかけて長手方向に沿って配置されている。このとき、開口部５より股下部２ｃ側（下側）は、外装体２と接着された接着部３Ｂとなっており、開口部５より腹側部２ａ側（上側）は、外装体２と接着されない非接着部３Ａとなっている。
【００２９】
接着部３Ｂは、吸収性本体３を外装体２に取り付けるための接着剤を塗布する領域である。具体的には、外装体２側もしくは吸収性本体３側のいずれか一方に施されていれば良い。
接着方法としては、ホットメルトでの接着が一般的であるが、それ以外の手法で接着しても構わない。
また、ホットメルトを使用する場合の接着剤塗布パターンとしては、接着剤塗布領域の全面に接着剤を塗布するのが一般的であるが、接着剤塗布領域に接着剤を直線や曲線などの線状に塗工する方法を用いても良い。
【００３０】
非接着部３Ａの裏面（外装体２側）には、吸収性本体３と外装体２とを着脱自在に止着する止着手段６が設けられている。止着手段６としては、例えば、メカニカルテープや粘着テープ等を好適に使用できる。
【００３１】
非接着部３Ａの幅は、開口部５の幅より狭くなるよう形成されている。また、非接着部３Ａの端部形状は円弧形状に形成されている。
また、図６に示すように、吸収性本体３の表面（トップシート１側）において、接着部３Ｂと非接着部３Ａとの境界部には、幅方向に沿って連続する複数のエンボス３３・・・からなるエンボス加工が施されている。
具体的には、エンボス加工のエンボス３３・・・は、開口部５の近傍において、平面視が幅方向に長尺な矩形状に形成されている。なお、エンボスの形状は特に限定されず、円形状や楕円形状等であっても良い。
【００３２】
吸収性本体３の幅方向両側端部には、紙おむつ１０におけるトップシート１側において、吸収体コア３０の腹側端部３ａから背側端部３ｂにわたり、股下両端部３ｃに相当する位置にギャザーシート７、７が備えられている。
このギャザーシート７、７は、不透液性の不織布のシートを二つ折りにし、折り合わされた面を、例えば、ホットメルトや、ヒートシール、超音波シール等により固着させることにより形成されている。
ここで、図２に示すように、この不織布シートを二つ折りにした折り返し部分側の端部を自由端部７１、立体的な立ち上がりの起点を立ち上がり部７２、外装体２側に固定される端部を固定端部７３とする。その固定端部７３が、トップシート１と、外面シート２Ａとの間に挟まれるように固着されることにより、ギャザーシート７、７が固定されている。そして、その不織布が折り合わされた面間に、複数本の糸ゴム４ｄが挟み込まれて固着されて備えられている。
このギャザーシート７、７が紙おむつ１０に固着されて備えられた状態において、先端部である自由端部７１が起立することにより立体ギャザー７Ｈが形成される。そして、この糸ゴム４によりギャザーシート７は、着用者の体型に合わせて伸縮自在に変形し、着用者にフィットしやすい構造となっている。
【００３３】
次に、本実施形態の作用について説明する。
紙おむつ１０の装着時において、吸収性本体３と外装体２とは止着手段６により止着され、開口部５は閉口状態を保つ。そして、吸収性本体３に排尿を行った際に紙おむつ１０が下方に下がった場合にも、吸収性本体３と外装体２とは止着手段６により止着されているため、開口部５は閉口状態を保つ（図４参照）。
【００３４】
一方、紙おむつ１０の装着時に開口部５から男性器を取り出して外部に排尿を行う場合、止着手段６による吸収性本体３と外装体２の止着状態を解除することで吸収性本体３と外装体２とは離間されて開口部５が開口し、男性器を外部に取り出すことができる。
このとき、吸収性本体３は開口部５の上下側に跨って配置され、且つ開口部５の上側に位置する吸収性本体３は非接着部３Ａとなっているため、男性器とともにこの非接着部３Ａを外部に取り出すことができる（図５参照）。
そして、取り出した非接着部３Ａは、止着手段６により、外装体２の外側に止着させることができる。
このとき、非接着部３Ａの幅は、開口部５の幅より狭くなるよう形成されているため、開口部５からが非接着部３Ａを取り出しやすい。
【００３５】
以上のように、本実施形態によれば、開口部５の上部を止着手段６により止着することができるため、吸収性本体３に排尿した場合に尿の重みで紙おむつ１０全体が下がっても開口部５が開口するのを防止することができる。
また、開口部５から男性器を取り出して排尿する場合に、男性器とともに吸収性本体３の非接着部３Ａを取り出すことができ、非接着部３Ａによって残尿をキャッチできるため、紙おむつ１０本体に尿が付着するのを防止することができる。
また、開口部５から男性器を取り出して排尿する場合に、止着手段６を外装体２の外側に止着させることで開口部５の開口状態を維持することができる。従って、片手でも容易に排尿が可能であり、使い勝手を良好にすることができる。
【００３６】
また、開口部５は、上方に凸となる湾曲形状であるため、開口部５の中心位置が開きやすいので男性器を取り出しやすく、使い勝手を良好にすることができる。
また、吸収性本体３の非接着部３Ａの端部形状は円弧形状であるため、開口部５から取り出す際に左右端部が引っかかることが無いので取り出しやすく、使い勝手をより良好にすることができる。
また、開口部５は、切り込み部５０の両端に孔部５１、５１が備えられた構成であるため、開口部５が開口した場合に切り込み部５０の両端にかかる応力が分散され、切り込み部５０の両端が破れるのを防止することができる。
また、吸収性本体３の非接着部３Ａの幅は、開口部５の幅よりも狭いため、開口部５から非接着部３Ａを引き出しやすく、使い勝手を良好にすることができる。
さらに、非接着部３Ａの端部形状は円弧形状であるため、開口部５から非接着部３Ａを引き出しやすく、使い勝手を良好にすることができる。
【００３７】
また、吸収性本体３の接着部３Ｂと非接着部３Ａとの境界部には、エンボス加工が施されているため、非接着部３Ａを外部に取り出す場合に吸収性本体３が折りやすくなり、止着手段６を外装体２の外側に止着するのを容易にさせることができる。また、エンボスにより非接着部３Ａに尿が拡散するのを防止することができる。
【００３８】
なお、本実施形態においては接着部３Ｂと非接着部３Ａとの境界部に、幅方向に沿ったエンボス加工を施すこととしたが、これ以外にも、例えば、吸収性本体３の幅方向に沿ったスリットを形成することとしても良い。このように構成した場合にも、非接着部３Ａを外部に取り出す場合に吸収性本体３が折りやすくなり、止着手段６を外装体２の外側に止着するのを容易にさせることができる。
また、吸収性本体３の裏面（トップシート１側）において、接着部３Ｂと非接着部３Ａとの境界部にエンボス加工を施すこととしたが、このエンボス加工は吸収性本体３の表面（外装体２側）に施すこととしても良い。このようにしても、非接着部３Ａを外部に取り出す場合に吸収性本体３を折りやすくすることができる。
また、吸収性本体３の裏面（トップシート１側）及び表面（外装体２側）の両面にエンボス加工を施すこととしても良い。
また、本実施形態においては非接着部３Ａの幅は開口部５の幅よりも狭いこととしているが、非接着部３Ａの幅を開口部５より広く形成しても良い。こうした場合、外部に排尿する際には、非接着部３Ａを紙おむつ１０の内側に折り曲げて、開口部５より男性器を取り出すようにすれば良い。
【００３９】
その他、本発明が上記実施の形態に限らず適宜変更可能であるのは勿論である。
【００４０】
[実施形態２]
次に、本発明の実施形態２について実施形態１と異なる点を中心に説明し、同じ箇所には実施形態１と同一の符号を付して説明を省略する。
図７は、実施形態２に係る紙おむつ２０を組み立てた斜視図である。
図７に示すように、実施形態２の紙おむつ２０においては、開口部５の近傍に、開口部５を閉じる方向に付勢力が付与された弾性体５２が備えられている。
具体的には、弾性体５２は張力が付与された状態でその中心位置を頂点として下方に凸となる湾曲形状で、且つ開口部５を跨ぐように外面シート２Ａと内面シート２Ｂの間に固着されている。
【００４１】
このような構成とすることで、開口部５の両端部を引き上げる付勢力が働くため、開口部５の閉口状態を維持しやすくできる。
また、開口部５を跨ぐように弾性体５２を配置したことで、開口部５の両端部をさらに破れにくくすることができる。
また、開口部５に沿うように弾性体５２を配置した場合には、弾性体５２が収縮してたわみが生じることにより、開口部５を開口する際に指がかかりやすくなって開口しやすくなるため、男性器をより取り出しやすくすることができる。
【００４２】
また、開口部５は、切り込み部５０の中心位置から下方に向かい、切り込み部５０と垂直になるように形成された第２の切り込み部５３を備えている。
このような構成とすることで、開口部５を開口する場合により広げやすくなるため、吸収性本体３の非接着部３Ａや男性器を取り出しやすくすることができる。
さらに、この場合には、弾性体５２の軌跡上に第２の切り込み部５３を形成することで、切り込み部５０と第２の切り込み部５３とが離間せずに、形状を維持することができる。
【００４３】
[実施形態３]
次に、本発明の実施形態３について実施形態１と異なる点を中心に説明し、同じ箇所には実施形態１と同一の符号を付して説明を省略する。
図８は、実施形態３に係る紙おむつ３０を組み立てた斜視図であり、図９は、図８に示す紙おむつ３０のIX−IX線における要部断面図である。
図８に示すように、実施形態３の紙おむつ３０においては、外装体２は、腹側部２ａを形成する上シート２４と、背側部２ｂ及び股下部２ｃを形成する下シート２５と、により構成されており、上シート２４の下端部２４ａと、下シート２５の上端部２５ａと、により開口部５が形成されている。
【００４４】
具体的には、上シート２４の下端部２４ａと下シート２５の上端部２５ａとは、上シート２４が外側となるよう重ね合わされている。この重ね合わせた部分（以下、重複部２６という。図８の斜線部参照。）における上シート２４の左右両側端部２４ｂ、２４ｂ、及び下シート２５の左右両側端部２５ｂ、２５ｂは、下シート２５の背側部２ｂの幅方向側の各端部２５ｃ、２５ｃと固着されて脇部が形成されている。
そして、重複部２６の中央部は、上シート２４の下端部２４ａと下シート２５の上端部２５ａとを互いに離間する方向に引っ張ることで開口するようになっており、これにより開口部５が形成されている。
図９に示すように、吸収性本体３は、開口部５を跨いで外装体２の股下部２ｃから腹側部２ａにかけて長手方向に沿って配置されており、吸収性本体３の開口部５より上側は非接着部３Ａとなっている。非接着部３Ａには、止着手段６が設けられており、上シート２４の重複部２６より上部に止着されている。
このような構成とすることで、開口部５を開口する場合により広げやすくなるため、吸収性本体３の非接着部３Ａや男性器を取り出しやすくすることができる。
【図面の簡単な説明】
【００４５】
【図１】本発明の吸収性物品を適用した実施形態１の紙おむつ１０の展開図である。
【図２】図１の紙おむつ１０のII−II線における要部断面図である。
【図３】図１の紙おむつ１０を組み立てた斜視図である。
【図４】図３の紙おむつの１０IV−IV線における要部断面図である。
【図５】吸収性本体３の非接着部３Ａを外部に取り出した状態を示すための図である。
【図６】吸収性本体３の非接着部３Ａの要部構成を示すための拡大図である。
【図７】本発明の吸収性物品を適用した実施形態２の紙おむつ２０の展開図である。
【図８】本発明の吸収性物品を適用した実施形態３の紙おむつ３０の展開図である。
【図９】図８の紙おむつ３０のIX−IX線における要部断面図である。
【符号の説明】
【００４６】
１        トップシート
２        外装体
２Ａ    外面シート
２Ｂ    内面シート
２ａ    腹側部
２ｂ    背側部
２ｃ    股下部
２４    上シート
２５    下シート
３        吸収性本体
３０    吸収体
３１    クレープ紙
３２    防水フィルム
３Ａ    非接着部
３Ｂ    接着部
４ａ、４ｂ、４ｃ        糸ゴム
５        開口部
５０    切り込み部
５１    孔部
５２    弾性体
５３    第２の切り込み部
６        止着手段
７、７    ギャザーシート
７１    自由端部
７２    立ち上がり部
７３    固定端部
１０      紙おむつ
【図１】
0004456643.tif 000002
【図２】
0004456643.tif 000003
【図３】
0004456643.tif 000004
【図４】
0004456643.tif 000005
【図５】
0004456643.tif 000006
【図６】
0004456643.tif 000007
【図７】
0004456643.tif 000008
【図８】
0004456643.tif 000009
【図９】
0004456643.tif 000010